(57)【要約】本発明は、少なくとも１つのエネルギー生成ユニット（１４）を少なくとも部分的に水位（１６）よりも上で支持するために提供される少なくとも１つの浮揚性プラットフォーム（１２）を備えたプラットフォームデバイスに基づく。少なくとも１つの浮揚性プラットフォーム（１２）が、浮力を提供する複数のチューブ（１８）を含み、かつチューブ（１８）に締結されるキャリア構造（２０）を含むことが提案される。
2018509346.tif 000002
【特許請求の範囲】
【請求項１】
少なくとも１つのエネルギー生成ユニット（１４）を少なくとも部分的に水位（１６）よりも上で支持するために提供される少なくとも１つの浮揚性プラットフォーム（１２）を備えたプラットフォームデバイスであって、
前記少なくとも１つの浮揚性プラットフォーム（１２）が、浮力を提供する複数のチューブ（１８）を含み、かつ前記チューブ（１８）に締結されるキャリア構造（２０）を含む、プラットフォームデバイス。
【請求項２】
前記少なくとも１つの浮揚性プラットフォーム（１２）に固定して接続され、かつ少なくとも１つのアンカーウインチ（２４、２４’、２４’’）を含む少なくとも１つの第１固定具ユニット（２２）を含む、請求項１に記載のプラットフォームデバイス。
【請求項３】
前記少なくとも１つの浮揚性プラットフォーム（１２）に固定して接続され、かつ少なくとも１つのアンカーウインチ（２８、２８’、２８’’）を含む少なくとも１つの第２固定具ユニット（２６）を含む、請求項２に記載のプラットフォームデバイス。
【請求項４】
前記少なくとも１つの固定具ユニット（２２、２６）が、互いに空間的に離れて実現される少なくとも２つの固定点（３０、３２、３４、３６）に接続される少なくとも２つのアンカーウインチ（２４、２４’、２４’’、２８、２８’、２８’’）を含む、請求項２または３に記載のプラットフォームデバイス。
【請求項５】
前記少なくとも１つの固定具ユニット（２２、２６）の前記少なくとも１つのアンカーウインチ（２４、２４’、２４’’、２８、２８’、２８’’）が、前記少なくとも１つの浮揚性プラットフォーム（１２）に対して回転可能に支持される、請求項２〜４のいずれか一項に記載のプラットフォームデバイス。
【請求項６】
前記少なくとも１つの固定具ユニット（２２、２６）の前記少なくとも１つのアンカーウインチ（２４、２４’、２４’’、２８、２８’、２８’’）が、ばね鋼帯（３８、３８’、３８’’、４０、４０’、４０’’）を介して固定点（３０、３２、３４、３６）に接続される、請求項２〜５のいずれか一項に記載のプラットフォームデバイス。
【請求項７】
前記少なくとも１つの固定具ユニット（２２、２６）の前記少なくとも１つのアンカーウインチ（２４、２４’、２４’’，２８、２８’、２８’’）が、前記ばね鋼帯（３８、３８’、３８’’、４０、４０’、４０’’）が少なくとも部分的に巻かれ得る少なくとも１つのアンカー車輪（４２）を含む、請求項６に記載のプラットフォームデバイス。
【請求項８】
前記少なくとも１つの浮揚性プラットフォーム（１２）の少なくとも部分的な太陽位置追跡および回転のために提供される太陽位置追跡回動ユニット（４４）を含む、請求項１〜７のいずれか一項に記載のプラットフォームデバイス。
【請求項９】
前記少なくとも１つの浮揚性プラットフォーム（１２）を回転させるように意図された太陽位置追跡回動ユニット（４４）が、前記少なくとも１つの固定具ユニット（２２、２６）の前記少なくとも１つのアンカーウインチ（２４、２４’、２４’’、２８、２８’、２８’’）を作動させるために提供される、請求項２または８に記載のプラットフォームデバイス。
【請求項１０】
前記少なくとも１つの浮揚性プラットフォーム（１２）の前記チューブ（１８）が各々、少なくとも３つのスピゴット（４６、４６’、４６’’、４６’’’）であって、前記チューブ（１８）の基体（４８）との一体的実施形態で実現され、かつ締結要素（５０、５０’、５０’’、５０’’’）を受承するためにそれぞれ提供される少なくとも３つのスピゴット（４６、４６’、４６’’、４６’’’）を含む、請求項１〜９のいずれか一項に記載のプラットフォームデバイス。
【請求項１１】
前記締結要素（５０、５０’、５０’’、５０’’’）に少なくとも部分的に締結される前記キャリア構造（２０）が、少なくとも部分的に台形プロファイル（５２）により実施される、請求項１０に記載のプラットフォームデバイス。
【請求項１２】
前記少なくとも１つの浮揚性プラットフォーム（１２）が、周縁領域（５４）において、水面（５８）下に配置されかつ波を遅らせるために提供される少なくとも１つの構造要素（６０、６２）を備えた防波堤デバイス（５６）を含む、請求項１〜１１のいずれか一項に記載のプラットフォームデバイス。
【請求項１３】
前記防波堤デバイス（５６）の前記少なくとも１つの構造要素（６０、６２）が台形シートとして実現される、請求項１２に記載のプラットフォームデバイス。
【請求項１４】
前記防波堤デバイス（５６）が、外周縁領域（６４）に配置された少なくとも１つの第１構造要素（６０）を含むとともに、前記水面（５８）下の前記第１構造要素（６０）より実質的に浅い深さ（６６）に配置され、かつ内周縁領域（６８）に配置された少なくとも１つの第２構造要素（６２）を含む、請求項１２または１３に記載のプラットフォームデバイス。
【請求項１５】
前記少なくとも１つの浮揚性プラットフォーム（１２）の前記チューブ（１８）の少なくとも一部が、前記少なくとも１つの浮揚性プラットフォーム（１２）の前記防波堤デバイス（５６）の一部を構成するセミシンカーとして実現される、請求項１２〜１４のいずれか一項に記載のプラットフォームデバイス。
【請求項１６】
請求項１〜１５のいずれか一項に記載のプラットフォームデバイス（１０）を作動させるための方法。
【請求項１７】
前記少なくとも１つの浮揚性プラットフォーム（１２）が、太陽位置追跡回動ユニット（４４）を介して前記少なくとも１つの固定具ユニット（２２、２６）により太陽位置に対して少なくとも部分的に回転される、請求項１６に記載の方法。
【請求項１８】
防波堤デバイス（５６）が、少なくとも前記浮揚性プラットフォーム（１２）の周縁領域（５４）において、前記プラットフォームデバイス（１０）に当たる波の遅れを誘導する、請求項１６または１７に記載の方法。
【発明の詳細な説明】
【技術分野】
【０００１】
本発明は、請求項１の前提部に記載のプラットフォームデバイスに関する。
【背景技術】
【０００２】
少なくとも１つのエネルギー生成ユニットを少なくとも部分的に水位よりも上で支持するために提供される少なくとも１つの浮揚性プラットフォームを備えたプラットフォームデバイスがすでに提案されている。
【発明の概要】
【０００３】
本発明は、少なくとも１つのエネルギー生成ユニットを少なくとも部分的に水位よりも上で支持するために提供される少なくとも１つの浮揚性プラットフォームを備えたプラットフォームデバイスに基づく。
【０００４】
少なくとも１つの浮揚性プラットフォームが、浮力を提供する複数のチューブを含み、かつチューブに締結されるキャリア構造を含むことが提案される。好ましくは、プラットフォームデバイスは、水位に平行に延在する主延在面を有する。優先的には、少なくとも１つの浮揚性プラットフォームのチューブはキャリア構造を介して互いに接続される。有利には、プラットフォームはその支持面で海水面を覆う。プラットフォームは、有利には、少なくとも０．５ｋｍ２、好ましくは少なくとも１ｋｍ２、優先的には２ｋｍ２超、および特に好ましくは３ｋｍ２超の海水面を覆う。優先的には、少なくとも１つの浮揚性プラットフォームは、少なくとも１つの回生エネルギー生成ユニットを少なくとも部分的に水位よりも上で支持するために提供される。優先的には、少なくとも１つの浮揚性プラットフォームは、少なくとも風力発電プラントおよび／または少なくとも太陽光発電プラントを少なくとも部分的に水位よりも上で支えるために提供される。これにより、例えば相補的エネルギー生産を実施することが可能となり、その結果として連続的なエネルギー生産が達成可能となる。外海におけるプラットフォームでの風力発電プラントおよび／または太陽光発電プラントの配置構成は、外海には風の速度を低下させる障害物も影を落とす障害物も全くまたはほとんどないため、風力発電プラントおよび／または太陽光発電プラントの効率を向上させ得る。「少なくとも部分的に水位よりも上で支持する」により、これに関連して、特に、エネルギー生成ユニットが、プラットフォームにより少なくとも部分的に水位よりも上で保持されることが理解される。「提供される」は、特に、特別にプログラムされ、設計され、および／または装着されたことを意味するものである。ある物体が特定の機能のために提供されていることにより、特に少なくとも１つの適用状態および／または動作状態において、その物体が前記特定の機能を果たし、および／または実施することが理解される。環境適合性の予備テストは、本発明によるプラットフォームデバイスが水質の持続可能な改善をもたらし、したがって魚種資源に対して再生可能な影響を有することを示している。
【０００５】
本発明によるプラットフォームデバイスの実施により、確実な設置場所が海におけるエネルギー生成ユニットのために提供され得る。さらに、プラットフォームデバイスの高いレベルの安定性が達成可能である。さらに、これにより、エネルギーを生成するための広大な利用可能領域などの利点を有する海の場所が利用可能となる。本プラットフォームデバイスは、したがって、回生エネルギーの生成の新たな機会をもたらすことができる。特に美観および自然保護の側面に関する懸念を引き起こすエネルギー生成ユニットの建設のための許可を得ることが海域の使用により容易になる場合があり、したがって、容易に発電することが可能になる。
【０００６】
プラットフォームデバイスが、少なくとも１つの浮揚性プラットフォームに固定して接続される少なくとも１つの第１固定具ユニットを含み、かつ少なくとも１つのアンカーウインチを含むことも提案される。「固定して接続される」は、これに関連して、特に固定具ユニットがプラットフォームに対するある位置から離れない一方、固定具ユニットおよび／または固定具ユニットのアンカーウインチの向きがプラットフォームに対して変化し得ることを意味する。さらに、これに関連して、「固定具ユニット」は、特に少なくとも１つの浮揚性プラットフォームを特に海底に固定するために提供されるユニットとして理解される。好ましくは、これは、特に少なくとも１つの浮揚性プラットフォームを水面に少なくとも部分的に据えるために提供されるユニットとして理解される。特に好ましくは、少なくとも１つの浮揚性プラットフォームは、水面上のある位置または少なくともある空間領域において固定具ユニットを介して保持される。さらに、「アンカーウインチ」は、これに関連して、特に固定手段を上昇および／または下降させるために提供されるデバイスとして理解される。好ましくは、これは、特に固定手段の有効長を調整するために提供されるデバイスとして理解される。優先的には、固定手段の有効長を調整することにより、特に固定具ユニットと固定点との間の距離がアンカーウインチを介して修正され得る。特に優先的には、例えば、水深の変化がアンカーウインチを介して補正され得る。好ましくは、アンカーウインチは少なくとも１つの駆動ユニットを含み、駆動ユニットにより、固定手段は上昇および／または下降され得る。本明細書において、「固定手段」は、特に接続要素として、例えば、固定具ユニットを固定点に接続する目的のためのアンカーチェーン、アンカーケーブルおよび／またはばね鋼帯として理解される。さらに、「有効長」は、本明細書では、実際の瞬間に、すなわち固定手段の巻き上げられたおよび／または未使用部分を考慮せずに効果的に使用される固定手段の長さとして理解される。ここで、「固定点」は、固定手段を固定するための底部固定具の据付点として理解される。本明細書において、「底部固定具」は、特に環境、特に底部に対して剛性である固定具の一部として理解される。これは、好ましくは、特に海底に配置される固定具として理解される。これにより、特にプラットフォームデバイスの特に有利な固定具の提供が可能になる。特に、これは特に様々な固定具を可能にする。さらに、特に信頼性のある固定具が達成可能である。
【０００７】
さらに、プラットフォームデバイスが、少なくとも１つの浮揚性プラットフォームに固定して接続される少なくとも１つの第２固定具ユニットを含み、かつ少なくとも１つのアンカーウインチを含むことが提案される。好ましくは、第１固定具ユニットおよび第２固定具ユニットは、互いに空間的に離れて実現される。特に好ましくは、第１固定具ユニットおよび第２固定具ユニットは、少なくとも１つの浮揚性プラットフォームの中心に対して、プラットフォームの異なる側に配置される。これにより、特にプラットフォームデバイスの特に有利な固定具が可能となる。これにより、さらに、特に様々な固定具が可能となる。さらに、特に信頼性のある固定具が達成可能となる。
【０００８】
さらに、少なくとも１つの固定具ユニットが、互いに空間的に離れて実現される少なくとも２つの固定点に接続される少なくとも２つのアンカーウインチを含むことが提案される。少なくとも１つの固定具ユニットは、少なくとも１つの第１固定具ユニットにより、かつ少なくとも１つの第２固定具ユニットにより、かつ少なくとも１つの第１固定具ユニットおよび少なくとも１つの第２固定具ユニットにより構成され得る。好ましくは、少なくとも１つの固定具ユニットは、互いに空間的に離れて実現される少なくとも３つの固定点に接続される少なくとも３つのアンカーウインチを含む。優先的には、第１固定具ユニットおよび第２固定具ユニットは各々、少なくとも３つのアンカーウインチを含む。好ましくは、それぞれの固定具ユニットのアンカーウインチは、互いに空間的に離れて実現される少なくとも３つの固定点に接続される。異なる固定具ユニットのアンカーウインチは、基本的に同じ固定点に接続されてもよい。特に好ましくは、固定具ユニットのアンカーウインチは、互いに空間的に離れて実現される合計で少なくとも４つの固定点に接続される。この結果として、特に有利な高度の固定安定性が達成可能である。さらに、有利な負荷分散が達成可能である。
【０００９】
さらに、少なくとも１つの固定具ユニットの少なくとも１つのアンカーウインチが、少なくとも１つの浮揚性プラットフォームに対して回転可能に支持されることが提案される。好ましくは、少なくとも１つの固定具ユニットの少なくとも１つのアンカーウインチは、それ自体の軸を中心として回転可能であるような方法で支持される。好ましくは、少なくとも１つの固定具ユニットの少なくとも１つのアンカーウインチは管状取付具に配置される。優先的には、少なくとも１つの固定具ユニットの少なくとも１つのアンカーウインチは、少なくとも１つの浮揚性プラットフォームに固定して配置され、かつその位置において回転可能である。特に好ましくは、少なくとも１つの固定具ユニットの少なくとも１つのアンカーウインチは、回転軸を中心に、プラットフォームデバイスの主延在面に垂直に回転可能であるように支持される。構造ユニットの「主延在面」は、最小の幾何学的直方体の最大の側面に平行な平面であって、構造ユニットをちょうど全体的に取り囲み、かつ特に直方体の中心点を通って延在する平面として理解される。優先的には、少なくとも１つの第１固定具ユニットの少なくとも１つのアンカーウインチおよび少なくとも１つの第２固定具ユニットの少なくとも１つのアンカーウインチは、それらが少なくとも１つの浮揚性プラットフォームに対して回転可能であるような方法で支持される。これにより、特にプラットフォームデバイスの特に有利な固定具を提供することが可能となる。したがって、さらに、少なくとも１つのアンカーウインチが、それ自体少なくとも部分的に、固定点および／または底部固定具に対して引く方向に向くことができることが有利に達成可能である。特に固定手段のねじれが防がれ得る。
【００１０】
さらに、少なくとも１つの固定具ユニットの少なくとも１つのアンカーウインチが、ばね鋼帯を介して固定点に接続されることが提案される。好ましくは、プラットフォームデバイスは、少なくとも１つのばね鋼帯を含み、このばね鋼帯を介して、少なくとも１つの固定具ユニットの少なくとも１つのアンカーウインチが固定点に接続される。優先的には、ばね鋼帯は腐食しにくいばね鋼帯により実施される。好ましくは、少なくとも１つの第１固定具ユニットおよび少なくとも１つの第２固定具ユニットのアンカーウインチは、ばね鋼帯を介してそれぞれ１つの固定点に接続される。「ばね鋼帯」により、これに関連して、特にばね鋼でできている帯状の固定手段であることが理解される。好ましくは、これは、特に主延在方向に垂直な断面で見ると、固定手段であって、固定手段の高さより実質的に大きい幅を有する固定手段として理解される。本明細書において「より実質的に大きい」とは、特にある値が少なくとも１０倍、好ましくは少なくとも２５倍、および特に好ましくは少なくとも１００倍大きいことを意味する。ばね鋼帯の例示的な寸法は、例えば、主延在方向に垂直な断面で見たときに２．５ｍｍ×６００ｍｍであり得る。構造ユニットの「主延在方向」は、特に構造ユニットをちょうど全体的に取り囲む最小の幾何学的直方体の最大の外縁に平行に延在する方向として理解される。特に、これにより、特に信頼性のある固定手段を提供することが可能となる。したがって、特に、優先的には特に容易にかつ均一に巻き上げられる固定手段が提供され得る。さらに、これは有利に省スペースの巻上げを可能にする。
【００１１】
少なくとも１つの固定具ユニットの少なくとも１つのアンカーウインチが、ばね鋼帯が少なくとも部分的に巻かれ得る少なくとも１つのアンカー車輪を含むことも提案される。好ましくは、アンカーウインチと固定点との間の距離は、ばね鋼帯を巻くおよび／または解くことにより変えられ得る。アンカー車輪は、好ましくは、ばね鋼帯の幅と少なくともおよそ等しい幅を有する。これにより、特に均一に巻くことが可能となり得る。優先的には、これにより、固定手段の望ましくない接続を防ぐことができる。「アンカー車輪」により、これに関連して、特にアンカーウインチの駆動ユニッを介して好ましくは駆動可能なアンカーウインチの車輪状構成要素であることが理解される。好ましくは、これは、ばね鋼帯を特に巻かれた状態で部分的に受けるために提供される少なくとも１つの状態にある車輪状構成要素として理解される。優先的には、ばね鋼帯はアンカー車輪に巻かれ得る。特に優先的には、ばね鋼帯は一端でアンカー車輪に確実に固定される。これにより、ばね鋼帯の有効長を確実に調整することが可能となる。さらに、有利なアンカーウインチが提供され得る。優先的には、このような方法で、特に、固定手段は特に容易かつ均一な方法で巻上げられ得、および／または解かれ得る。さらに、有利に省スペースの巻上げが可能にされ得る。
【００１２】
さらに、プラットフォームデバイスが、少なくとも１つの浮揚性プラットフォームの少なくとも部分的な太陽位置追跡および回転のために提供される太陽位置追跡回動ユニットを含むことが提案される。好ましくは、少なくとも１つの浮揚性プラットフォームは、太陽位置追跡回動ユニットを介して、少なくとも１００°、好ましくは少なくとも１１０°、特に好ましくは少なくともおよそ１２０°の角度範囲において回転され得る。優先的には、少なくとも１つの浮揚性プラットフォームを回転させることは、少なくとも１つの浮揚性プラットフォームの主延在面に垂直な回転軸を中心としてもたらされる。「太陽位置追跡回動ユニット」は、これに関連して、特に少なくとも１つの浮揚性プラットフォームを実際の太陽位置に依存して自動的に回転させるために提供されるユニットとして理解される。好ましくは、これは、少なくとも１つの浮揚性プラットフォームにより支持されたエネルギー生成ユニットを太陽に対して方向付けるために提供されるユニットとして理解される。優先的には、太陽位置追跡回動ユニットは、太陽光発電プラントとして実施されるエネルギー生成ユニットを太陽に対して方向付けるために提供される。本明細書において、太陽に対する向きは、時刻または時季に基づいてセンサによりもたらされてもよい。センサが使用される場合、悪天候の場合などの特に不必要な回転が回避され得る。これは、自動太陽位置追跡および回転を可能にし得る。好ましくは、このような方法で、有利に高い効率のエネルギー生成ユニットが達成可能である。
【００１３】
少なくとも１つの浮揚性プラットフォームを回転させることを意図される太陽位置追跡回動ユニットが、少なくとも１つの固定具ユニットの少なくとも１つのアンカーウインチを作動させるために提供されることも提案される。好ましくは、少なくとも１つの浮揚性プラットフォームを回転させることを意図される太陽位置追跡回動ユニットは、第１固定具ユニットおよび第２固定具ユニットのアンカーウインチを作動させるために提供される。優先的には、回転はアンカーウインチのアンカー車輪にばね鋼帯を巻くおよび／または解くことにより実現される。このような方法で、固定具は、有利には、少なくとも１つの浮揚性プラットフォームの太陽位置追跡および回転のために使用され得る。これは、信頼性のある回転をさらに可能にする。さらに、太陽位置追跡および回転のための追加的な駆動ユニットは不要となり得る。
【００１４】
さらに、少なくとも１つの浮揚性プラットフォームのチューブが各々、少なくとも３つのスピゴットであって、チューブの基体との一体的実施形態で実現され、かつ締結要素を受承するためにそれぞれ提供される少なくとも３つのスピゴットを含むことが提案される。好ましくは、少なくとも１つの締結要素は、スピゴットを介してチューブに締結され得る。優先的には、少なくとも１つの締結要素は、スピゴットの少なくとも１つに締結され得る。チューブの基体は、好ましくは中空円筒形状を有する。優先的には、基体はチューブのベース形状を実現する。好ましくは、スピゴットはチューブの基体に押出成形される。優先的には、スピゴットは基体の円周方向表面に配置される。特に好ましくは、基体の円周方向に見ると、スピゴットは基体の円周方向表面に均一に分布する。優先的には、少なくとも１つの浮揚性プラットフォームのチューブは各々、４つのスピゴットを含み、これら４つのスピゴットは、チューブの基体との一体的実施形態で実現され、かつ締結要素を受承するためにそれぞれ提供される。「スピゴット」は、これに関連して、特にある構成要素をさらなる構成要素に接続するために提供される、ある構成要素の延在部として理解される。「一体的実施形態」により、特に少なくとも物質対物質の接合により、例えば溶接プロセス、接着接合、射出成形プロセスにより、および／もしくは当業者により好都合であると見なされる別のプロセスにより接続されること、ならびに／または例えば１つの鋳造物の製造により、および／または有利には１つの独立した未加工材の単一成分または多成分射出成形手順による製造により、一体のものとして有利に形成されることが理解される。適切な締結により、すり減りが有利に少なく保たれ得る。さらに、これは、特に温度により変化するチューブの長さの影響を好ましくは受けない締結機会をもたらすことができる。さらに、このような方法で、特に浮揚性プラットフォームの不安定性の影響を好ましくは受けない締結機会がもたらされ得る。
【００１５】
さらに、締結要素に少なくとも部分的に締結されたキャリア構造が、少なくとも部分的に台形プロファイルにより実現されることが提案される。優先的には、台形プロファイルは、標準鋼台形プロファイルとして実現される。「台形プロファイル」により、これに関連して、特に長手方向延在部に垂直な断面で見たときに少なくともおよそ台形の断面を有するプロファイルであることが理解される。好ましくは、これは、特に長手方向延在部に垂直な断面で見たときに互いに隣接する３つの主縁を有し、主縁のそれぞれ２つの間で互いに面する２つの内角がそれぞれ９０°を超え、特に好ましくは１７０°未満であるプロファイルとして理解される。特に好ましくは、主縁のそれぞれ２つの間で互いに面する２つの内角は少なくともおよそ同一である。優先的には、長手方向延在部に垂直な断面で見たときに、台形プロファイルは、ある側に向かって開いた断面を有し、かつ少なくともおよそ台形状である。優先的には、台形プロファイルの断面は、プロファイルの３つのみの側を含む。基本的に、主縁の少なくとも１つがいくつかの短い縁を平均した縁として実現されることが考えられる。台形プロファイルを使用することは、有利には、高い垂直抗力および低いねじり張力を吸収するプロファイルを利用可能にすることができる。この結果として、特に摩耗部品をなくしたやわらかいキャリア構造が利用可能にされ得る。
【００１６】
少なくとも１つの浮揚性プラットフォームが、周縁領域において、水面下に配置され、かつ波を遅らせるために提供される少なくとも１つの構造要素を備えた防波堤デバイスを含むことも提案される。好ましくは、防波堤デバイスの少なくとも１つの構造要素は、水位下の定められた深さに配置される。好ましくは、少なくとも１つの防波堤デバイスは、波の衝撃をプラットフォームの幾何学的中心の方向において減少させる。有利には、少なくとも１つの防波堤デバイスは波の衝撃を、この方向において元の波の衝撃の８０％未満、特に有利には元の波の衝撃の６０％未満、極めて特に有利には元の波の衝撃の３０％未満である定められた値まで減少させる。「防波堤デバイス」は、これに関連して、特に周縁領域内の波の衝撃を定められた値まで減少させるように提供されるデバイスとして理解される。好ましくは、波の衝撃は、波を砕くことにより定められた値まで減少される。本明細書において、「波の衝撃」は、特にうねりにより引き起こされたプラットフォームの支持面の変化、ならびにしたがってエネルギー生成ユニットの位置および／または向きの変化として理解される。有利には、プラットフォームは、その支持面で海水面を覆う。さらに、これに関連して、「構造要素」は、特に少なくとも部分的領域において巨視的表面構造を有する要素として理解される。「巨視的表面構造」により、これに関連して、特に本体のベース形状を越えて延在する隆起部および／または凹部を有する表面構造であることが理解される。好ましくは、隆起部および／または凹部は、特に本体のベース形状の表面に垂直に見た場合に少なくとも０．１ｃｍ、好ましくは少なくとも１ｃｍ、優先的には少なくとも２ｃｍ、および特に好ましくは少なくとも５ｃｍの高さおよび／または深さを有する。「定められた深さ」が、特に、実負荷によりもたらされた波吸収要素の長手方向軸と水位との間の平均距離であることが理解される。「元の波の衝撃」が、特に、プラットフォームに当たる前の、すなわちプラットフォーム多面的周縁での波の衝撃であることが理解される。防波堤デバイスにより、周縁領域などの領域が海に提供され得、そこでは外海よりも波の衝撃が小さい。これにより、海におけるエネルギー生成ユニットの確実な設置場所が提供可能となり、その結果として広大な利用可能領域などの利点を備えた海の場所がエネルギーを生成するために利用され得る。
【００１７】
さらに、防波堤デバイスの少なくとも１つの構造要素が台形シートとして実現されることが提案される。特に、これは、特に堅牢な構造要素を提供可能にする。さらに、このような方法で、波の衝撃は信頼性のある方法で少なくとも減少され得る。したがって、好ましくは特に、波の有利な遅れが水面下で達成可能であり、その結果として波は向きを変えるように誘導される。しかしながら、基本的に、構造要素を台形シートと異なって実施することも考えられるであろう。波形のシートとしてなど、当業者により好都合であると見なされ得る構造要素の様々な実施形態が考えられる。
【００１８】
さらに、防波堤デバイスが、外周縁領域に配置された少なくとも１つの第１構造要素を含むとともに、水面下の第１構造要素よりも実質的により浅い深さに配置され、かつ内周縁領域に配置された少なくとも１つの第２構造要素を含むことが提案される。好ましくは、構造要素は少なくとも実質的に同一に実施される。プラットフォームの海側周縁からプラットフォームの幾何学的中心に向かう方向に見ると、内周縁領域は、好ましくは外周縁領域に直接隣接している。優先的には、プラットフォームの主延在面において見ると、内周縁領域は外周縁領域により取り囲まれている。外周縁領域は、好ましくは海側周縁に直接当接している。「より実質的に浅い深さ」により、これに関連して、特に少なくとも１つの第２構造要素の平均深さの値が少なくとも１つの第１構造要素の平均深さの値の最大で８０％、好ましくは最大で６５％、および特に優先的には、最大で５０％に対応することが理解される。この結果として、波の衝撃は特に信頼性のある方法で少なくとも減少され得る。好ましくは、このような方法で、特に少なくとも１つの第１構造要素によりすでに砕かれたより小さい波の有利な遅れが水面下で達成可能である。これにより、小さい波を砕くことも有利に可能となる。
【００１９】
少なくとも１つの浮揚性プラットフォームのチューブの少なくとも一部が、少なくとも１つの浮揚性プラットフォームの防波堤デバイスの一部を構成するセミシンカー（ｈａｌｂｓｉｎｋｅｒ）として実現されることも提案される。「セミシンカー」は、これに関連して、特に浮力体であって、その総容量が好都合な状態において水面下で少なくとも５０％、好ましくは少なくとも６０％、優先的には少なくとも７０％、および特に好ましくは少なくとも８０％だけ負荷衝撃により圧力をかけられている浮力体として理解される。これは、有利には、波がチューブに対して砕けることを防ぎ得る。好ましくは、これは、特に波がチューブの上を流れ、上を流れている間、チューブの上側への摩擦により遅れることを達成可能にする。
【００２０】
本発明は、プラットフォームデバイスを作動させるための方法にさらに基づく。少なくとも１つの浮揚性プラットフォームが、太陽位置追跡回動ユニットを介して、少なくとも１つの固定具ユニットにより少なくとも部分的に太陽位置に対して回転されることが提案される。これにより自動太陽位置追跡および回転が可能となる。好ましくは、このような方法で、有利に高い効率のエネルギー生成ユニットが達成可能である。さらに、これにより、少なくとも１つの浮揚性プラットフォームの信頼性のある回転が可能となり得る。
【００２１】
さらに、防波堤デバイスが、少なくとも浮揚性プラットフォームの周縁領域において、プラットフォームデバイスに当たる波の遅れを誘導することが提案される。防波堤デバイスにより、外海に比べて波の衝撃が少ない周縁領域などの領域が海上に提供され得る。これにより、海上にエネルギー生成ユニットのための確実な設置場所を提供することが可能となり、その結果として広大な利用可能領域などの利点を有する海の場所がエネルギー生産のために利用され得る。
【００２２】
本発明によるプラットフォームデバイスは、本明細書では、上で説明された適用形態および実施形態に限定されるものではない。特に、本明細書において説明された機能を満たすために、本発明によるプラットフォームデバイスは、本明細書において言及された数と異なる数のそれぞれの要素、構成要素およびユニットを含んでもよい。
【００２３】
さらなる利点は、以下の図面の説明から分かり得る。図面において、本発明の３つの例示的実施形態が表されている。図面、説明および特許請求の範囲は、複数の特徴を組み合わせて含んでいる。当業者はまた、意図的に特徴を別々に考慮し、さらに好都合な組合せを見つけるであろう。
【図面の簡単な説明】
【００２４】
【図１】浮揚性プラットフォームと、エネルギー生成ユニットと、第１固定具ユニットと、第２固定具ユニットとを備えたプラットフォームデバイスの上からの概略図である。
【図２】異なる回転位置にあるプラットフォームデバイスの上からの概略図である。
【図３】防波堤デバイスを備えたプラットフォームデバイスの部分断面ＩＩＩの上からの概略図である。
【図４】防波堤デバイスを備えたプラットフォームデバイスの部分断面ＩＩＩの概略断面図である。
【図５】３つのアンカーウインチを有する第１固定具ユニットを備えたプラットフォームデバイスの部分断面Ｖの上からの概略図である。
【図６】第１固定具ユニットの第１アンカーウインチの詳細図ＶＩの上からの概略図である。
【図７】第１固定具ユニットの第１アンカーウインチの詳細図ＶＩの概略断面図である。
【図８】浮力を提供するいくつかのチューブを有し、かつキャリア構造を有する、浮揚性プラットフォームを備えたプラットフォームデバイスの部分断面およびサービス船の概略断面図である。
【図９】キャリア構造の台形プロファイルの切断線ＩＸに沿った概略断面図である。
【図１０】プラットフォームのチューブのうちの１つの詳細図Ｘの概略断面図である。
【図１１】プラットフォームのチューブの１つの切断線ＸＩに沿った概略断面図である。
【図１２】プラットフォームデバイスのエネルギー生成ユニットの太陽電池モジュールの上からの概略図である。
【図１３】エネルギー生成ユニットの冷却ユニットの詳細図ＸＩＩＩの概略断面図である。
【図１４】プラットフォームデバイスの底部固定具の概略図である。
【図１５】プラットフォームデバイスの底部固定具の切断線ＸＶに沿った概略断面図である。
【図１６】プラットフォームデバイスの底部固定具の切断線ＸＶＩに沿った概略断面図である。
【図１７】プラットフォームデバイスの代替的底部固定具の概略側面図である。
【図１８】プラットフォームデバイスの代替的底部固定具の上からの概略図である。
【図１９】プラットフォームデバイスのさらなる代替的底部固定具の部分断面の概略断面図である。
【発明を実施するための形態】
【００２５】
図１〜１３は、本発明によるプラットフォームデバイス１０の例示的実施形態を示す。図１において、プラットフォームデバイス１０全体が上から見た図で概略的に示される。プラットフォームデバイス１０は海７０に配置される。プラットフォームデバイス１０は、海底７２において、海岸から７０ｋｍより遠い距離に固定される。しかしながら、基本的に、当業者により好都合であると見なされる海岸からの別の距離も考えられ得る。プラットフォームデバイス１０は、基本的に、水深とは独立して海岸の近くにまたは国際水域において固定され得る。年間２，０００時間を超える日照時間がある場所が好ましい。この例示的実施形態において、プラットフォームデバイス１０は四角形を有する。しかしながら、基本的に、当業者により好都合であると見なされる丸形または三角形などの別の形状も考えられるであろう。プラットフォームデバイス１０は回生エネルギーを生成する。プラットフォームデバイス１０は固定された浮揚性プラットフォームとして実現される。プラットフォームデバイス１０は固定された浮揚性太陽光プラットフォームとして実現される。
【００２６】
プラットフォームデバイス１０は浮揚性プラットフォーム１２を含む。プラットフォーム１２は、エネルギー生成ユニット１４を水位１６よりも上で支持するために提供される。エネルギー生成ユニット１４は、プラットフォームデバイス１０の一部を形成する。プラットフォーム１２はその支持面で海面の一部を覆う。プラットフォーム１２は、およそ１，０００ｍの縁長さを有する。しかしながら、基本的に、当業者により好都合であると見なされる別の縁長さも考えられるであろう。しかしながら、１，０００ｍ〜２，０００ｍの縁長さが好ましい。
【００２７】
供給および除去のために、プラットフォームデバイス１０はポート７４を含む。ポート７４は、プラットフォーム１２内で自由な状態の海水面により実現される。ポート７４はプラットフォーム１２の中央に配置される。ポート７４に到達するために、プラットフォームデバイス１０は、プラットフォーム１２の周縁からポート７４へ延在するアクセスチャネル７６を含む。アクセスチャネル７６もプラットフォーム１２内で自由な状態の海水面により実現される。ポート７４には、関連する電力処理装置を備えて位置する海底ケーブル７８がある。海底ケーブル７８は、詳細には視認可能でない方法でエネルギー生成ユニット１４に接続される。海底ケーブル７８は、電力を海岸の転送基地に伝送するために提供される。海底ケーブル７８は、海面１６の下、好ましくは少なくとも海底７２の近くに延在する。ポート７４には、さらに、スタッフ配備地点８０ならびに詳細には図示されないボートおよび／または船のための桟橋がある。
【００２８】
エネルギー生成ユニット１４は回生エネルギー生成ユニットとして実現される。エネルギー生成ユニット１４は太陽光発電プラント８２を含む。さらに、エネルギー生成ユニット１４は風力発電プラント８４を含む。しかしながら、エネルギー生成ユニット１４が太陽光発電プラント８２のみ、風力発電プラント８４のみ、および／または他のエネルギー生成プラント、特に当業者により好都合であると見なされる回生エネルギー生成プラントを含むことも考えられるであろう。エネルギー生成ユニット１４の太陽光発電プラント８２および風力発電プラント８４は互いに部分的に相補的である、すなわち、太陽光発電プラント８２および風力発電プラント８４は互いに部分的に補完する。
【００２９】
太陽光発電プラント８２は複数の太陽電池モジュール８６を含む。太陽電池モジュール８６は各々プラットフォーム１２に取付具８８を介して取り付けられる。取付具８８はＬ字プロファイルから実質的に構築される。取付具８８は、プラットフォーム１２のキャリア構造２０に締結された２つのＬ字プロファイル間にさらに保持される。Ｌ字プロファイルはプラットフォーム１２のチューブ１８に平行に延在する。太陽電池モジュール８６は、表面にナノコーティングを有する。さらに、太陽電池モジュール８６はそれぞれ複数の独立したモジュールからなる。独立したモジュールは、好ましくは、１．９５６ｍ×０．９４１ｍのサイズを有する。太陽電池モジュール８６は各々９．７５ｍ×８．４６ｍのサイズを有する。しかしながら、基本的に、他のサイズも考えられるであろう。太陽電池モジュール８６の最適な傾斜角は場所に固有である（図８、１２）。
【００３０】
太陽光発電プラント８２は冷却ユニット１４４をさらに含む。冷却ユニット１４４は、冷却太陽電池モジュール８６を冷却するために、海水を好都合な深さから汲み出し太陽電池モジュール８６の上縁において上端部に水平に延在するパイプ１４６内に入れる。海水を汲み出すために、冷却ユニット１４４はＣＵ篩（ＣＵ−Ｓｉｅｂ）を有する水中ポンプを含む。パイプ１４６の水平延在部分は各圧着部の上方に下方ボアを有する。ボアのサイズは、本明細書では、少なくともおよそ等しい量の水がパイプ１４６の始めおよび終わりで出て行くような方法で選択される。下方ボアを出て行く水は、本明細書では、太陽電池モジュール８６の下部に沿って流れる。ここで、蒸発が冷気を生成し、その結果として太陽電池モジュール８６は好ましい対流により冷却される。さらに、朝に第１電力が生成されると直ちに、海水が下方ボアに加えてパイプ１４６の上方ボアから出て、太陽電池モジュール８６に噴射されるような方法でポンプ流量が増加する。したがって、太陽電池モジュール８６は毎日洗浄され得る。さらに、冷却ユニット１４４も洗浄のために使用され得る（図８、１３）。
【００３１】
さらに、詳細には図示されないが、鳥防御装置が提供される。その理由は、稚魚が、特に植物性の覆い、冷却ユニット１４４の深層水、滴下する冷却用水からの酸素、モジュールの影および回転後の新鮮な海水のためにプラットフォーム１２のチューブ１８間を好む場合、海鳥も同様に到来するであろうからである。海鳥は、基本的に、プラットフォームデバイス１０上のいずれの場所にも着陸することを許され得るが、エネルギー生成ユニット１４上に着陸することは許されない。特に、排泄物が乾燥すると、最良の洗浄設備でも洗い流すことはできないからである。したがって、電線を冷却ユニット１４４の最上部のパイプ１４６に設置することが必要である。しかしながら、基本的に、当業者により好都合であると見なされる鳩防御有刺鉄線ストリップなどの別の鳥防御装置も考えられるであろう。
【００３２】
晴天日が多く生じるだけでなく、８．０ｍ／ｓ／ａを超える風も吹く場所がある。プラットフォーム１２の幾何学的中心に向かう実質的な海の動きがないため、風力発電プラント８４は、海の深さとは独立してそこに設置されてもよい。風力発電プラント８４は複数の風車９０を含む。風車９０は、プラットフォーム１２の太陽光発電プラント８２の太陽電池モジュール８６間に位置付けられる。風車９０は、本明細書では、太陽電池モジュール８６がない領域にそれぞれ影が投じられるような方法で位置付けられる（図１）。
【００３３】
晴天およびしたがって雲のない空の場合、通常は風がなく、したがって太陽光発電プラント８２がエネルギーを生成しており、曇った空およびしたがって実質的に日照のない場合、風力発電プラント８４がエネルギーを生成し、プラットフォームデバイス１０は、通常、回生エネルギーを連続的に生成する。太陽光発電プラント８２および風力発電プラント８４は、したがって互いに相補的である。
【００３４】
海７０の上に十分な空間があるため、プラットフォームデバイス１０は、広大な波のない領域がもたらされるような方法で任意の所望の数で配置され得る。これらは、電力貯蔵器（電力からガスへの貯蔵器）のため、観光のため、漁業のため、淡水化プラントなどのためのポートとして使用されてもよい。スイス、オーストリアなど、国が海へのアクセスを有しない場合であっても、領海外で前記国は太陽光電力を製造することができ、例えばガスに変換することができる。
【００３５】
浮揚性プラットフォーム１２は、浮力を提供する複数のチューブ１８を含む。さらに、プラットフォーム１２は、チューブ１８に締結されたキャリア構造２０を含む。チューブ１８はそれぞれＰＰチューブとして実現される。チューブ１８は、１００年の保証寿命を有する。チューブ１８は、ポリプロピレンチューブとしてそれぞれ実現される。チューブ１８は互いに平行にそれぞれ配置される。チューブ１８は、プラットフォーム１２の全周にわたって分布し、かつプラットフォーム１２全体を横切って延在するいくつかの列にそれぞれ配置される。ある列のチューブ１８は互いにそれぞれ溶接される。加えて、それぞれの安全仕切り９２が、ある列のチューブ１８間の接続ゾーン内に溶接される。安全仕切り９２は各々壺形である。安全仕切り９２を介して、隣接するチューブ１８のそれぞれの内部中空空間９４は互いから離されている。プラットフォーム１２を取り付ける際のチューブ１８の溶接は、通常、海岸で、特にＰＰチューブ製造者の指示に従って実施される。しかしながら、チューブ１８は、例えばボートで溶接されることも考えられるであろう（図８、１１）。
【００３６】
浮揚性プラットフォーム１２のチューブ１８は、各々４つのスピゴット４６、４６’、４６’’、４６’’’を含む。さらに、チューブ１８は中空円筒形基体４８を各々有する。基体４８は、チューブ１８のベース形状をそれぞれ形成する。チューブ１８の４つのスピゴット４６、４６’、４６’’、４６’’’は、チューブ１８のベース基体４８との一体的実施形態で実現される。チューブ１８の４つのスピゴット４６、４６’、４６’’、４６’’’は、対応するチューブ１８の基体４８にそれぞれ押出形成される。スピゴット４６、４６’、４６’’、４６’’’は、対応するチューブ１８の基体４８から半径方向にそれぞれ突出する。スピゴット４６、４６’、４６’’、４６’’’は対応するチューブ１８の基体４８の円周方向表面にそれぞれ配置される。スピゴット４６、４６’、４６’’、４６’’’は、さらに、対応するチューブ１８の基体４８の円周方向に見ると、対応するチューブ１８の基体４８の円周方向表面に均一に分布する。チューブ１８の４つのスピゴット４６、４６’、４６’’、４６’’’は、締結要素５０、５０’、５０’’、５０’’’を受承するように提供される。締結要素５０、５０’、５０’’、５０’’’は、スピゴット４６、４６’、４６’’、４６’’’を介して対応するチューブ１８に締結され得る。この目的のために、締結要素５０、５０’、５０’’、５０’’’はスピゴット４６、４６’、４６’’、４６’’’に締結され得る。締結要素５０、５０’、５０’’、５０’’’は、この目的のために、円周方向に互いに隣接するそれぞれ２つのスピゴット４６、４６’、４６’’、４６’’’間に締結される。締結要素５０、５０’、５０’’、５０’’’には、スピゴット４６、４６’、４６’’、４６’’’がそれぞれねじ込まれる。締結要素５０、５０’、５０’’、５０’’’は、チューブ１８と特にキャリア構造２０の負荷入力部との間の接続部品を各々実現する。締結要素５０、５０’、５０’’、５０’’’は、亜鉛めっきされた鋼でできている通常の成形部品により各々実現される。締結要素５０、５０’、５０’’、５０’’’のそれぞれ４つはグループを形成し、これは、それぞれのチューブ１８で半径方向に８面の覆いを実現する。チューブ１８の４つの締結要素５０、５０’、５０’’、５０’’’はチューブ１８の覆いを形成し、この覆いは半径方向に８つの平らな外側表面を有する。外側表面は、締結要素５０、５０’、５０’’、５０’’’の領域においてチューブ１８を完全に包含する。締結要素５０、５０’、５０’’、５０’’’の連続的外側表面は、円周方向にそれぞれ互いに４５度傾けられている。キャリア構造２０は、有利には、この８面の覆い上に設定され得る。締結要素５０、５０’、５０’’、５０’’’の群の上部外側表面は、それぞれ水平に方向付けられている。キャリア構造２０は、取り付けられた状態において、通常、締結要素５０、５０’、５０’’、５０’’’の群の３つの外側表面に当接し、これら外側表面は互いに隣接している。取り付けられた状態において、キャリア構造２０は、通常、締結要素５０、５０’、５０’’、５０’’’の群の３つの上向きに方向付けられた外側表面の上にあり、かつそれに締結されている（図８、１０）。
【００３７】
締結要素５０、５０’、５０’’、５０’’’に部分的に締結されたキャリア構造２０は、台形プロファイル５２から部分的になる。キャリア構造２０の構造により、サービス船１６２は、エネルギー生成ユニット１４の下部のプラットフォーム１２のほぼいずれのポイントにも至ることができる。キャリア構造２０は台形プロファイル５２で実質的に構築される。キャリア構造２０の台形プロファイル５２は溶融亜鉛めっき加工をした鋼でできている。台形プロファイル５２は、したがって５０年の保証寿命を有する。キャリア構造２０の台形プロファイル５２は同一の断面を有する。台形プロファイル５２は長さのみが異なる。台形プロファイル５２は長手方向延在部に沿って一定の断面を有する。台形プロファイル５２の断面は、以下では、一例として台形プロファイル５２の１つにより説明される。しかしながら、説明は他の台形プロファイル５２にも当てはまり得る（図８）。
【００３８】
台形プロファイル５２は、長手方向延在部に垂直な断面で見るとおよそ台形の断面を有する。台形プロファイル５２は開断面を有する。台形プロファイル５２は、長手方向延在部に垂直な断面で見ると、互いに隣接する３つの主ウェブ９６、９８、１００を含む。台形プロファイル５２の主ウェブ９６、９８、１００は、一体的実施形態でそれぞれ互いに接続される。主ウェブ９６、９８、１００は一片を折り曲げたものである。中間主ウェブ９８は２つのさらなる主ウェブ９６、１００に接続される。中間主ウェブ９８と２つのさらなる主ウェブ９６、１００のそれぞれ１つとの間で互いに向き合う２つの内角１０２、１０４は、各々９０°を超え、１７０°未満の値を有する。内角１０２、１０４は各々およそ１１０°の角度を有する。２つの内角１０２、１０４は同一に実施される。中間主ウェブ９８から外方を向く２つのさらなる主ウェブ９６、１００の端部に、それぞれ１つの、およそＬ字形で外側に方向付けられた端部ウェブ１０６、１０８が配置される。端部ウェブ１０６、１０８は、２つのさらなる主ウェブ９６、１００のうちの１つにおよそ１１０°の角度でそれぞれ当接し、このため、端部ウェブ１０６、１０８は、中間主ウェブ９８に少なくともおよそ平行に延在する。端部ウェブ１０６、１０８は、２つのさらなる主ウェブ９６、１００のうちの１つに一体的実施形態でそれぞれ接続される。端部ウェブ１０６、１０８の端部は、さらなる主ウェブ９６、１００の１つに向かっておよそ１１０°の内角だけ各々角度が付けられている。中間主ウェブ９８は、中央領域に隆起部１１０を含む。隆起部１１０と、隆起部１１０の両側のさらなる主ウェブ９６、１００との間にそれぞれ１つのチャネル１１２、１１２’が形成され、これは供給ライン１１４、１１４’を受承するのに役立つ（図８、９）。
【００３９】
キャリア構造２０は、台形プロファイル５２間に、キャリアの角度変更を防ぐために提供される交差接続部（詳細には図示せず）をさらに含む。詳細には図示されない交差接続部は、水平な剛材としてさらに機能する。交差接続部は、太陽電池モジュール８６の取付具８８を締結するために部分的に使用される。
【００４０】
さらに、プラットフォームデバイス１０は、浮揚性プラットフォーム１２に固定して接続される第１固定具ユニット２２を含む。プラットフォームデバイス１０は、浮揚性プラットフォーム１２に固定して接続される第２固定具ユニット２６をさらに含む。第１固定具ユニット２２および第２固定具ユニット２６は、ポート７４の両側のプラットフォーム１２にそれぞれ配置される。第１固定具ユニット２２および第２固定具ユニット２６は、ポート７４の近くにそれぞれ配置される。第１固定具ユニット２２および第２固定具ユニット２６は、周縁領域５４よりもプラットフォーム１２の幾何学的中心の近くにそれぞれ配置される。さらに、第１固定具ユニット２２は、少なくともベース位置において、プラットフォーム１２の幾何学的中心を通って延在する平面に対して第２固定具ユニット２６に対して対称であるような方法で実現される。第１固定具ユニット２２は、少なくともベース位置において、プラットフォーム１２の幾何学的中心に対して第２固定具ユニット２６に対して中心対称的であるような方法で実現される（図１）。
【００４１】
第１固定具ユニット２２は３つのアンカーウインチ２４、２４’、２４’’を含む。第２固定具ユニット２６も３つのアンカーウインチ２８、２８’、２８’’を含む。しかしながら、基本的に、当業者により好都合であると見なされる他の数のアンカーウインチ２４、２４’、２４’’、２８、２８’、２８’’も考えられるであろう。固定具ユニット２２、２６は同一に実現される。固定具ユニット２２、２６は互いに対して単に鏡面対称な配置構成を有する。固定具ユニット２２、２６は以下において、第１固定具ユニット２２の例により説明される。第１固定具ユニット２２の例は、基本的に第２固定具ユニット２６にも当てはまり得る（図１、５）。
【００４２】
第１固定具ユニット２２のアンカーウインチ２４、２４’、２４’’は、固定具ユニット２２のアンカーウインチ容器１１６、１１６’、１１６’’にそれぞれ受け入れられる。アンカーウインチ２４、２４’、２４’’はアンカーウインチ容器１１６、１１６’、１１６’’に管状取付具を介してそれぞれ受け入れられる。第１固定具ユニット２２のアンカーウインチ２４、２４’、２４’’は、浮揚性プラットフォーム１２に対して回転可能に支持される。アンカーウインチ２４、２４’、２４’’は、それぞれの回転軸１１８を中心として回転可能に支持される。アンカーウインチ２４、２４’、２４’’の回転軸１１８はそれぞれのアンカーウインチ２４、２４’、２４’’の中心を通って延在する。回転軸１１８は、プラットフォーム１２の主延在面に垂直に回転可能であるような方法で支持される。アンカーウインチ容器１１６、１１６’、１１６’’は、他のものと１列に並んで配置され、かつキャリアを介して接続される。アンカーウインチ容器１１６、１１６’、１１６’’の各々は、厳密に２つのチューブ１８間にそれぞれ配置される。アンカーウインチ容器１１６、１１６’、１１６’’は、正方形のベース形状を有する。第１アンカーウインチ容器１１６は１つの側で第２アンカーウインチ容器１１６’に当接する。その３つのさらなる側で、アンカーウインチ容器１１６は、それぞれ１つのポンツーン（ｐｏｎｔｏｎ）１２０、１２０’、１２０’’に当接する。３つのポンツーン１２０、１２０’、１２０’’はコンクリート製ポンツーンとして各々実現される。ポンツーン１２０、１２０’、１２０’’は、安全性関連の場所において独立気泡で満たされた耐海水性ガラス繊維強化コンクリート立方体によりそれぞれ実現される。３つのポンツーン１２０、１２０’、１２０’’は、およそ３００トンの負荷容量を各々有する。しかしながら、基本的に異なる負荷容量も考えられるであろう。アンカーウインチ容器１１６は、３つのポンツーン１２０、１２０’、１２０’’に接続キャリアを介して接続される。第３アンカーウインチ容器１１６’’は１つの側で第２アンカーウインチ容器１１６’と当接する。その３つのさらなる側で、アンカーウインチ容器１１６’’はそれぞれ１つのポンツーン１２２、１２２’、１２２’’と当接する。３つのポンツーン１２２、１２２’、１２２’’は、コンクリート製ポンツーンとして各々実現される。ポンツーン１２２、１２２’、１２２’’は、安全性関連の場所において独立気泡で満たされた耐海水性ガラス繊維強化コンクリート立方体によりそれぞれ実現される。３つのポンツーン１２２、１２２’、１２２’’は、およそ３００トンの負荷容量を各々有する。しかしながら、基本的に異なる負荷容量も考えられるであろう。第３アンカーウインチ容器１１６’’は３つのポンツーン１２２、１２２’、１２２’’にキャリアを介して接続される。固定具ユニット２２のポンツーン１２０、１２０’、１２０’’、１２２、１２２’、１２２’’は固定具ユニット２２のための浮力を提供する。ここで、垂直な力はポンツーン１２０、１２０’、１２０’’、１２２、１２２’、１２２’’の浮力により吸収され、一方で水平な力が作動的平面内に繋ぎ用固定具を介して導入される。プラットフォーム１２がセミシンカー、特にチューブ１８により造られており、チューブ１８の変位空間はプラットフォーム１２およびエネルギー生成ユニット１４のためのみに設計されているため、固定力などのさらに有効な力がポンツーン１２０、１２０’、１２０’’、１２２、１２２’、１２２’’を介して取り戻され得る。基本的に、例えば、回転力、海底ケーブル容器、桟橋、スタッフ配備地点８０および／または電力処理設備を担うさらなるポンツーンを提供することも考えられるであろう（図５）。
【００４３】
第１固定具ユニット２２の３つのアンカーウインチ２４、２４’、２４’’は、互いに空間的に離れて実現される３つの固定点３０、３２、３４に接続される。アンカーウインチ２４、２４’、２４’’の各々は、それぞれ１つの固定点３０、３２、３４に接続される。第１アンカーウインチ２４は、北の固定点３０に接続される。第２アンカーウインチ２４’は西の固定点３２に接続される。さらに、第３アンカーウインチ２４’’は南の固定点３４に接続される。第２固定具ユニット２６の３つのアンカーウインチ２８、２８’、２８’’も、互いに空間的に離れて実現される３つの固定点３０、３４、３６に接続される。アンカーウインチ２８、２８’、２８’’の各々はそれぞれ１つの固定点３０、３４、３６に接続される。第２固定具ユニット２６の第１アンカーウインチ２８は南の固定点３４に接続される。第２アンカーウインチ２８’は東の固定点３６に接続される。さらに、第２固定具ユニット２６の第３アンカーウインチ２８’’は、北の固定点３０に接続される。北の固定点３０および南の固定点３４は、したがってそれぞれ２つのアンカーウインチ２４、２４’’、２８、２８’’と接続される。第１固定具ユニット２２のアンカーウインチ２４、２４’、２４’’および第２固定具ユニット２６のアンカーウインチ２８、２８’、２８’’は固定点３０、３２、３４、３６にばね鋼帯３８、３８’、３８’’、４０、４０’、４０’’を介してそれぞれ接続される。ばね鋼帯３８、３８’、３８’’、４０、４０’、４０’’は、２．５ｍｍ×６００ｍｍの寸法の長方形断面を各々含む。ばね鋼帯３８、３８’、３８’’、４０、４０’、４０’’は、程度の差はあるが、張力が変化するときにたわみ、このたわみの大きさは水中ではゆっくりのみ変化し得るため、ばね鋼帯３８、３８’、３８’’、４０、４０’、４０’’の必要な制振がばね鋼帯３８、３８’、３８’’、４０、４０’、４０’’の断面の水平な向きに提供される（図１、２）。
【００４４】
第１固定具ユニット２２の３つのアンカーウインチ２４、２４’、２４’’および第２固定具ユニット２６の３つのアンカーウインチ２８、２８’、２８’’は、同一に設計される。アンカーウインチ２４、２４’、２４’’、２８、２８’、２８’’は、第１固定具ユニット２２の第１アンカーウインチ２４を例として以下で説明される。第１固定具ユニット２２の第１アンカーウインチ２４の説明は、さらなるアンカーウインチ２４’、２４’’、２８、２８’、２８’’にも基本的に当てはまり得る（図５）。
【００４５】
第１固定具ユニット２２の第１アンカーウインチ２４は、アンカー車輪４２を含む。ばね鋼帯３８はアンカーウインチ２４のアンカー車輪４２に巻かれ得る。ばね鋼帯３８をアンカー車輪４２に巻くか、またはアンカー車輪４２から解くことにより、アンカーウインチ２４と固定点３０との間の距離が修正され得る。アンカー車輪４２は、ばね鋼帯３８の幅におよそ対応する走行表面の幅を有する。これは、均一に巻くことおよび解くことを可能にする。アンカー車輪４２は５ｍの直径を有する。アンカー車輪４２の大きい直径は、特にばね鋼帯３８の作用長さが大きい場合、アンカー車輪４２の直径の増大を小さく保つことを可能にする。例として、ばね鋼帯３８の作用長さが３００ｍである場合、アンカー車輪４２へのばね鋼帯３８の巻き取りパッケージは、約１００ｍｍの厚さを有する。アンカー車輪４２は、アンカーウインチ２４の駆動ユニット１２４を介して駆動し得る。駆動ユニット１２４は電気モータとして実現される。駆動ユニット１２４はアンカー車輪４２のリングギアと噛み合う駆動用はめ歯歯車を含む。駆動ユニット１２４の軸はアンカー車輪４２の軸に対してオフセットされている。これにより、駆動ユニット１２４とアンカー車輪４２との間の伝動を有利に単純な方法で達成することが可能となる。アンカー車輪４２は、回転可能に支持されるような方法でアンカーウインチ２４の基体１２６に受け入れられる。駆動ユニット１２４は基体１２６に固定して接続される。基体１２６は水平な支持リング１２８を含み、水平な支持リング１２８を介して、アンカーウインチ２４はアンカーウインチ容器１１６の管状取付具に支持される。基体１２６は、２つの壁１３０、１３０’をさらに含み、２つの壁１３０、１３０’は互いに平行に延在し、かつ支持リング１２８に固定して接続される。壁１３０、１３０’は垂直に方向付けられる。アンカー車輪４２は壁１３０、１３０’間に部分的に配置される。さらに、滑車１３２が壁１３０、１３０’間に配置される。滑車１３２はポンツーン１２０、１２０’、１２０’’の底部縁とおよそ同一平面に配置される。滑車１３２は、滑車１３２を介してばね鋼帯３８を案内するために提供され、ばね鋼帯３８と、ポンツーン１２０、１２０’、１２０’’またはプラットフォームの部品との衝突は防がれ得る。ベルト洗浄ユニット１３４が滑車１３２とアンカー車輪４２との間に配置される。ベルト洗浄ユニット１３４も壁１３０、１３０’間に配置される。ばね鋼帯３８は、滑車１３２とアンカー車輪４２との間を、ベルト洗浄ユニット１３４を通るように案内される。ばね鋼帯３８は、アンカー車輪４２に巻かれる前に、ベルト洗浄ユニット３８により洗浄される。したがって、例えば、貝または藻は、ばね鋼帯３８をアンカー車輪４２に巻く前に拭き取られ得る。さらに、アンカーウインチ２４はブレーキ１３６を含む。ブレーキ１３６はアンカー車輪４２をブロックするために提供される。ブレーキ１３６を介して、アンカー車輪４２は、駆動ユニット１２４により駆動されていない場合、それぞれその実際の位置に保持された状態において停止され得る。アンカーウインチ２４は格納容器１３８により部分的に覆われる。格納容器１３８は、アンカーウインチ容器１１６に配置される。格納容器１３８は、アンカーウインチ２４を天候の影響から保護するために提供される（図６、７）。
【００４６】
プラットフォームデバイス１０は、太陽位置追跡回動ユニット４４をさらに含む。太陽位置追跡回動ユニット４４は計算ユニットとして実現される。迅速かつ容易なアクセス可能性のための例として、太陽位置追跡回動ユニット４４は、この場合、ポート７４に配置される。太陽位置追跡回動ユニット４４は、浮揚性プラットフォーム１２の部分的な太陽位置追跡および回転のために提供される。浮揚性プラットフォーム１２の回転のために、第１および第２固定具ユニット２２、２６のアンカーウインチ２４、２４’、２４’’、２８、２８’、２８’’を作動させるために太陽位置追跡回動ユニット４４が提供される。太陽位置追跡および回転のために、アンカーウインチ２４、２４’、２４’’、２８、２８’、２８’’の駆動ユニット１２４を別々に作動させるために、およびばね鋼帯３８、３８’、３８’’、４０、４０’、４０’’を意図的に巻くまたは解くことによりプラットフォーム１２の回転をそれぞれ達成させるために、太陽位置追跡回動ユニット４４が提供される。したがって、１２０°の回転が達成可能である。プラットフォーム１２は、したがって朝の午前８時から午後４時まで太陽に向かって方向付けられ得る。回転は、この場合、固定具ユニット２２、２６毎に１００トンの力でもたらされ、これは固定力に加えて吸収されなければならない。回転が極めてゆっくりともたらされるため（本発明の場合、８．０時間のうちに巻かれかつ解かれなければならないばね鋼帯３８、３８’、３８’’、４０、４０’、４０’’は３００ｍである）、これは比較的低い電源入力で行われ得る。回転のために求められる電力は、エネルギー生成ユニット１４により生成された電力の１％未満である。３００ｍを超える水深の場合、午後４時の位置から午前８時の位置に戻るための回転を、例えば日中に引き上げられたそれぞれ１００トンの重さにより実現することも考えられるであろう。このような方法で、戻るための回転は本土からのエネルギー入力なしに夜間にもたらされ得る（図１、２）。
【００４７】
プラットフォーム自体が太陽位置に従って向きを変える際、風車９０の影はいつも同じ場所にあり、このため、その領域には太陽電池モジュール８６が取り付けられない。
図２において、プラットフォーム１２が３つの異なる太陽位置１６４、１６４’、１６４’’での３つの異なる回転位置において示される。プラットフォーム１２は、本明細書では、それぞれの回転位置において単に概略的に示される。第１太陽位置１６４は、本明細書では、プラットフォーム１２の午前８時の回転位置に対応する。この回転位置において、プラットフォーム１２は破線により図示される。第２太陽位置１６４’は、本明細書では、プラットフォーム１２の午前１２時の回転位置に対応する。この回転位置において、プラットフォーム１２は連続線により図示される。第３太陽位置１６４’’は、本明細書では、プラットフォーム１２の午後４時の回転位置に対応する。この回転位置において、プラットフォーム１２は一点鎖線により図示される。浮揚性プラットフォーム１２は、太陽位置追跡回動ユニット４４を介して、固定具ユニット２２、２６により太陽位置に対して部分的に回転される。
【００４８】
浮揚性プラットフォーム１２は、周縁領域５４に防波堤デバイス５６を含む。防波堤デバイス５６は、水面５８下に配置された複数の構造要素６０、６２を含む。構造要素６０、６２はプラットフォーム１２の主延在面に平行に配置される。防波堤デバイス５６の構造要素６０、６２は台形シートとして各々実現される。構造要素６０、６２は、周縁領域５４にわたって分布するような方法で配置される。構造要素６０、６２は波を遅らせるためにさらに提供される。構造要素６０、６２は、プラットフォーム１２に当たる波を遅らせるために提供される。構造要素６０、６２はプラットフォーム１２のキャリア構造２０に固定される。防波堤デバイス５６は、本明細書では、複数の第１構造要素６０を含む。第１構造要素６０は外周縁領域６４に配置される。第１構造要素６０は、プラットフォーム１２の主延在面に平行な平面に互いにオフセットされて配置される。防波堤デバイス５６は、複数の第２構造要素６２をさらに含む。第２構造要素６２は内周縁領域６８に配置される。第２構造要素６２は、プラットフォーム１２の主延在面に平行な平面に互いにオフセットされて配置される。第２構造要素６２は、水面５８下の第１構造要素６０より実質的に浅い深さ６６に配置される。第１構造要素６０は約２．５ｍの深さ１４０に配置される。対照的に、第２構造要素６２は約１．０ｍの深さ６６に配置される。したがって、外周縁領域６４において、波は底部で第１構造要素６０により遅らされ、したがって、向きを変えるように誘導される。内周縁領域６８における続く段階で、大きい波に由来する新たなより小さい波が第２構造要素６２により再び遅らせられ、再び砕かれる。防波堤デバイス５６は、浮揚性プラットフォーム１２の周縁領域５４においてプラットフォームデバイス１０に当たる波の遅れをもたらす（図３、４）。
【００４９】
さらに、浮揚性プラットフォーム１２のチューブ１８の一部は浮揚性プラットフォーム１２の防波堤デバイス５６の一部を実施する。周縁領域５４に配置されたチューブ１８は防波堤デバイス５６の一部を形成する。
【００５０】
このような方法で、外周縁領域６４と内周縁領域６８とからなる周縁領域５４において、プラットフォーム１２に悪影響を与えない波形が生成される。（プラットフォーム１２の外縁から測定して）約１００ｍの距離において、実体のないうねりのみがあり、その結果として全ての構成要素、例えばポンツーン１２０、１２０’、１２０’’、１２２、１２２’、１２２’’、海底ケーブル７８などが波を考慮せずに寸法決めされ得る。稀に大きい波が内部に向かって生じるが、プラットフォーム１２はキャリア構造２０によりほとんど抵抗を与えず、稀な大きい波を単に通過させるため、損傷はもたらさない。海凌波性は、したがって最大１４．０ｍの高さの波まで確保される。
【００５１】
さらに、プラットフォーム１２は、周縁領域５４において、最も端の縁に漂着物リジェクタ１４２を含む。漂着物リジェクタ１４２は、水位１６と同じ高さに配置された透水性の特に孔のあいたシートとして実現される。漂着物リジェクタ１４２はチューブ１８の高さに配置される。しかしながら、基本的に、ネットなど、当業者により好都合であると見なされる別の実施形態も考えられるであろう。漂着物リジェクタ１４２はキャリア構造２０に垂直に固定される。漂着物リジェクタ１４２はプラットフォーム１２の縁の全周に配置される。漂着物リジェクタ１４２により、漂着物は入り込むことを妨げられる（図３、４）。
【００５２】
ばね鋼帯３８、３８’、３８’’、４０、４０’、４０’’は、海底７２において固定点３０、３２、３４、３６でそれぞれ底部固定具１４８ａを介して固定される。ここで、底部固定具１４８ａの実施形態は、海底７２の特性および状態、水深および公的な環境要件に依存する。本発明の実施形態の底部固定具１４８ａは、複数の組み立て式のコンクリート部品１５０ａ、１５０ａ’、１５０ａ’’を含む。底部固定具１４８ａは、特に水深が深い場合に好都合である。組み立て式のコンクリート部品１５０ａ、１５０ａ’、１５０ａ’’は各々一体化されたチューブ１５２ａ、１５２ａ’、１５２ａ’’を含み、このチューブ１５２ａ、１５２ａ’、１５２ａ’’内をそれぞれのばね鋼帯３８、３８’、３８’’、４０、４０’、４０’’がそれぞれ案内され得る。チューブ１５２ａ、１５２ａ’、１５２ａ’’はＰＰチューブとして実現される。組み立て式のコンクリート部品１５０ａ、１５０ａ’、１５０ａ’’は各々分割され得、かつチューブ１５２ａ、１５２ａ’、１５２ａ’’が横に開かれ得るような方法でボルトを介してねじ留めされる。このような方法で、例えば作業船で、組み立て式のコンクリート部品１５０ａ、１５０ａ’、１５０ａ’’がばね鋼帯３８、３８’、３８’’、４０、４０’、４０’’に沿って案内されるような方法で組み立て式のコンクリート部品１５０ａ、１５０ａ’、１５０ａ’’を出すことを可能にするように、ばね鋼帯３８、３８’、３８’’、４０、４０’、４０’’が組み立て式のコンクリート部品１５０ａ、１５０ａ’、１５０ａ’’に通され得る。固定点３０、３２、３４、３６の組み立て式のコンクリート部品１５０ａ、１５０ａ’、１５０ａ’’は、形状が合う圧入方法でそれぞれ互いに接続される。固定点３０、３２、３４、３６のうちの１つが設定されると、ばね鋼帯３８、３８’、３８’’、４０、４０’、４０’’は末端部で意図された場所に沈められる（詳細には図示せず）。これに続いて、組み立て式のコンクリート部品１５０ａ、１５０ａ’、１５０ａ’’が、計算された数でばね鋼帯３８、３８’、３８’’、４０、４０’、４０’’の上に（真珠の連なりと同様に）降ろされる（図１４、１５、１６）。
【００５３】
図１７〜１９において、本発明の底部固定具の２つのさらなる例示的実施形態が示される。以下の説明は底部固定具の実施形態に実質的に限定され、他の例示的実施形態の説明、特に図１〜１６の説明は、同じままである構成要素、特徴および機能について参照され得る。例示的実施形態を区別するために、図１〜１６の例示的実施形態の底部固定具の参照符号の文字は、図１７〜１９の例示的実施形態の底部固定具の参照符号では文字ｂおよびｃに置き換えられる。等しい名称を有する構成要素について、特に同じ参照符号を有する構成要素については、基本的に、特に図１〜１６の他の例示的実施形態の図面および／または説明が参照され得る。
【００５４】
図１７はプラットフォームデバイス１０の代替的底部固定具１４８ｂを示す。ばね鋼帯３８、３８’、３８’’、４０、４０’、４０’’は、海底７２において固定点３０、３２、３４、３６でそれぞれ底部固定具１４８ｂを介して固定される。底部固定具１４８ｂはアンカーブラケット１５４ｂを含む。アンカーブラケット１５４ｂはＩＰＥプロファイルにより実現される。アンカーブラケット１５４ｂは、所定の数の凹部を備えたマスクを含む。所定の長さのアンカー杭１５６ｂは、それぞれ凹部を通るように案内および固定される。アンカー杭１５６ｂはラルセン（Ｌａｒｓｓｅｎ）プロファイルとして実現される。ラルセンプロファイルは、特にやわらかい堆積物の場合に好都合である。ばね鋼帯３８、３８’、３８’’、４０、４０’、４０’’はアンカーブラケット１５４ｂに枢動関節部１５８ｂ、１５８ｂ’を介して締結される。アンカー杭１５６ｂは、耐圧ケーシングを含む打撃駆動部または振動駆動部を介して海底７２内に沈められる。建設工事は、水中工事が不要であるような方法で選択される。固定点３０、３２、３４、３６のうちの１つを設定する際、つかまり綱が同様に沈められ、このつかまり綱により、ばね鋼帯３８、３８’、３８’’、４０、４０’、４０’’はドッキングブイに引き込まれ得、かつドッキングブイに締結され得る（図１７、１８）。
【００５５】
図１９は、プラットフォームデバイス１０の別の代替的底部固定具１４８ｃを示す。ばね鋼帯３８、３８’、３８’’、４０、４０’、４０’’は、海底７２において固定点３０、３２、３４、３６でそれぞれ底部固定具１４８ｃを介して固定される。底部固定具１４８ｃは、アンカーブラケット１５４ｃを含む。アンカーブラケット１５４ｃはＩＰＥプロファイルにより実現される。アンカーブラケット１５４ｃは、所定の数の凹部を備えたマスクを含む。所定の長さのアンカー杭１５６ｃが、それぞれ凹部を通るように案内および固定される。アンカー杭１５６ｃはドリル杭として実現される。ドリル杭は特に硬い堆積物の場合に好都合である。アンカー杭１５６ｃは、それぞれ点火デバイス１６０ｃを含む。ばね鋼帯３８、３８’、３８’’、４０、４０’、４０’’は、枢動関節部を介してアンカーブラケット１５４ｃに締結される。
【図１】
2018509346.tif 000003
【図２】
2018509346.tif 000004
【図３】
2018509346.tif 000005
【図４】
2018509346.tif 000006
【図５】
2018509346.tif 000007
【図６】
2018509346.tif 000008
【図７】
2018509346.tif 000009
【図８】
2018509346.tif 000010
【図９】
2018509346.tif 000011
【図１０】
2018509346.tif 000012
【図１１】
2018509346.tif 000013
【図１２】
2018509346.tif 000014
【図１３】
2018509346.tif 000015
【図１４】
2018509346.tif 000016
【図１５】
2018509346.tif 000017
【図１６】
2018509346.tif 000018
【図１７】
2018509346.tif 000019
【図１８】
2018509346.tif 000020
【図１９】
2018509346.tif 000021
【国際調査報告】
2018509346.tif 000022
2018509346.tif 000023
2018509346.tif 000024
2018509346.tif 000025
2018509346.tif 000026
2018509346.tif 000027